(57)【要約】【課題】煩雑な手間等を要さずに、契約の状況を反映してユーザが所望する番組をより迅速に検索し、未契約の番組であれば必要により契約の作業に移行する。【解決手段】番組表の番組情報をその属性情報と共に取得して保持するＥＰＧ情報処理部301と、受信した放送番組の属性情報を記録する嗜好データベース(DB)321、ジャンルデータベース(DB)322と、放送番組の視聴契約情報を記憶する契約情報記憶部303と、未契約の放送番組の視聴を指示するキー操作入力部82と、この指示で嗜好DB321、ジャンルDB322に記録されている属性情報、契約情報記憶部303に記憶した視聴契約情報に基づいてＥＰＧ情報処理部301に保持した番組表の番組情報を検索し、属性情報の相関が高い未契約の番組情報を選択し、選択した未契約の番組情報を表示フォーマット記憶部323の表示フォーマットに従ってモニタ3001で表示させるチャンネルリスト生成部302とを有する。【選択図】      図２
2007306133.tif 000002
【特許請求の範囲】
【請求項１】
番組表の番組情報をその属性情報と共に取得する番組情報取得手段と、
受信した放送番組をその属性情報と共に記録する録画手段と、
放送番組の視聴契約に関する情報を記憶する契約情報記憶手段と、
未契約の放送番組の視聴を指示する指示手段と、
この指示手段での指示により、上記録画手段で番組情報と共に記録されている属性情報と、上記契約情報記憶手段に記憶した視聴契約に関する情報と基づいて、上記番組情報取得手段で取得した番組表の番組情報を検索し、属性情報の相関の度合いが大きい未契約の番組情報を選択する検索手段と、
この検索手段で選択した未契約の番組情報を提示する提示手段と
を有したことを特徴とする録画機能付受信装置。
【請求項２】
上記提示手段は、複数の未契約の番組情報にそれぞれ属性情報の相関の度合いを示す情報を併せて提示することを特徴とする請求項１または２記載の録画機能付受信装置。
【請求項３】
上記提示手段は、未契約の番組情報として契約に必要な条件を併せて提示することを特徴とする請求項１記載の録画機能付受信装置。
【請求項４】
番組表の番組情報を取得する番組情報取得手段と、
放送番組の視聴契約に関する情報を記憶する契約情報記憶手段と、
視聴しようとする番組情報を制限する情報に加えて、未契約のものを含むか否かを選択指示する指示手段と、
この指示手段での指示、及び上記契約情報記憶手段に記憶した視聴契約に関する情報に基づいて、上記番組情報取得手段で取得した番組表の番組情報を検索する検索手段と、
この検索手段で選択した番組情報を提示する提示手段と
を有したことを特徴とする録画機能付受信装置。
【請求項５】
上記指示手段により未契約のものを含む選択指示を行なった場合に、上記提示手段で提示される番組情報に対して契約済みのもの及び未契約のもののいずれかを選択指示する再指示手段と、
この再指示手段での選択指示に応じて上記提示手段で提示した番組情報中から該当するものを検索する再検索手段と、
この再検索手段で得た番組情報を提示する再提示手段と
をさらに有したことを特徴とする請求項４記載の録画機能付受信装置。
【請求項６】
番組表の番組情報を取得する番組情報取得手段と、
放送番組の視聴契約に関する情報を記憶する契約情報記憶手段と、
視聴しようとする番組情報に対し、上記契約の有無を選択指示する指示手段と、
この指示手段での指示、及び上記契約情報記憶手段に記憶した視聴契約に関する情報に基づいて、上記番組情報取得手段で取得した番組表の番組情報を検索する検索手段と、
この検索手段で検索した番組情報を提示する提示手段と
を有したことを特徴とする録画機能付受信装置。
【請求項７】
上記提示手段は、未契約の番組情報として放送チャンネルの情報を提示することを特徴とする請求項１，４，６いずれかに記載の録画機能付受信装置。
【請求項８】
上記提示手段は、未契約の番組情報として番組タイトルの情報を提示することを特徴とする請求項１，４，６いずれかに記載の録画機能付受信装置。
【請求項９】
上記提示手段で提示された未契約の番組情報の中から１つを選択する選択手段と、
この選択手段で選択した番組情報に関する契約処理に移行する契約制御手段と
をさらに有したことを特徴とする請求項１，４，６いずれかに記載の録画機能付受信装置。
【請求項１０】
受信部と、番組表の番組情報をその属性情報と共に取得して処理する番組情報処理部と、受信した放送番組をその属性情報と共に記録する録画部と、放送番組の視聴契約の情報を記憶する契約情報記憶部と、制御部とを有した受信装置の受信制御方法において、
上記制御部は、
未契約の放送番組の視聴の指示を受付け、
この指示により、上記録画部で番組情報と共に記録されている属性情報と、上記契約情報記憶部に記憶した視聴契約の情報とに基づいて、上記番組情報処理部で取得した番組表の番組情報を検索し、属性情報の相関の度合いが大きい未契約の番組情報を選択し、
選択した未契約の番組情報を提示する
ことを特徴とする受信装置の受信制御方法。
【請求項１１】
受信部と、番組表の番組情報を取得して処理する番組情報処理部と、放送番組の視聴契約の情報を記憶する契約情報記憶部と、制御部とを有した受信装置の受信制御方法において、
上記制御部は、
視聴しようとする番組情報を制限する情報に加えて、未契約のものを含むか否かの選択指示を受付け、
この指示、及び上記契約情報記部に記憶した視聴契約の情報に基づいて、上記番組情報処理部で取得した番組表の番組情報を検索し、
検索した番組情報を提示する
ことを特徴とする受信装置の受信制御方法。
【請求項１２】
受信部と、番組表の番組情報を取得して処理する番組情報処理部と、放送番組の視聴契約の情報を記憶する契約情報記憶部と、制御部とを有した受信装置の受信制御方法において、
上記制御部は、
視聴しようとする番組情報に対し、契約の有無の選択指示を受付け、
この指示、及び上記契約情報記憶部に記憶した視聴契約の情報に基づいて、上記番組情報処理部で取得した番組表の番組情報を検索し、
検索した番組情報を提示する
ことを特徴とする受信装置の受信制御方法。
【発明の詳細な説明】
【技術分野】
【０００１】
この発明は、録画機能付受信装置及び受信装置の受信制御方法に関するものであり、契約済みの番組情報と未契約の番組情報とを正確に認識することができる装置及び方法である。
【背景技術】
【０００２】
近年、ハードディスクドライブ（ＨＤＤ）、ＤＶＤ（デジタルバーサタイルディスク）などの記録媒体に関して記録容量の向上が得られ、これらの記録媒体を用いた記録再生装置では、多くの番組を予約録画可能となっている。
【０００３】
一方、放送方式として、地上アナログ放送、地上デジタル放送、衛星アナログ放送、衛星デジタル放送など、各種の放送方式が実現化されている。
【０００４】
また、デジタル放送では、新聞や雑誌のテレビ番組表の代わりに、電子番組ガイド情報（ＤＥＰＧ：Ｄｙｎａｍｉｃ  Ｅｌｅｃｔｒｏｎｉｃ  Ｐｒｏｇｒａｍ  Ｇｕｉｄｅ）情報（以下「ＥＰＧ情報」と称する）が番組情報として放送されている。この番組情報は、放送電波に重畳されるだけでなく、電話回線などのネットワークを介して取得可能となるように検討されている。
【０００５】
また、最近の記録再生装置では、番組表の中からユーザが予め選択した番組を自動的に録画する、録画予約機能を有する。また、ユーザが、好みのジャンルやキーワード等を設定すれば、自動的に番組表の中から好みのジャンル、キーワードに対応する番組を検索し、自動的にユーザの好みの番組を録画する自動録画予約機能も考えられている。
【０００６】
ユーザは、受信装置で受信されたＥＰＧが表示画面上に表示された状態で、録画予約の設定やジャンル、キーワードの設定等を行なうことができる。
【０００７】
しかし、最近のように放送方式が複数となり、またチャンネル数も多くなると、ユーザが録画予約を行なう手間が複雑かつ面倒な作業となる。また、予め契約を行なっていない有料放送のチャンネルでは、放送番組にかけられているスクランブルを解除できず、正常な受信を行なうことができない。そのため、未契約のチャンネルの番組を予約録画したとしても、実際には正常な録画を行なうことはできない。
【０００８】
このようなユーザの不便を解消する１つの方法として、契約者が個別に番組等の単位で事前に視聴契約を行なう有料放送の受信装置において、契約済みの番組を簡単に識別できる番組ガイドを提供することを目的とし、契約済み番組と未契約の番組とを異なる表示形式、例えば一方の文字フォントを斜体にするなどして区分表示するようにした技術が提案されている（特許文献１）。
【特許文献１】特開平９−２８４７３９号公報
【発明の開示】
【発明が解決しようとする課題】
【０００９】
上記した特許文献に記載された技術は、番組ガイド画面中から契約済みの番組を簡単に確認し、契約済みの番組の見逃しを防止する、という観点からはそれなりの効果を有していると認められる。
【００１０】
しかしながら、まだ契約を行なっていないその他多くの番組がすでに契約済みの番組と共に混在して表示されるため、未契約の番組それぞれに対してその内容を簡単に把握し、所望の番組を選択することは困難となる。
【００１１】
そこでこの発明においては、煩雑な手間等を要することなく、契約の状況を反映してユーザが所望する番組をより迅速に検索し、未契約の番組であれば必要により契約の作業に移行することが可能な録画機能付受信装置及び受信装置の受信制御方法を提供することを目的とする。
【課題を解決するための手段】
【００１２】
上記の目的を達成するためにこの発明の一面では、番組表の番組情報をその属性情報と共に取得する番組情報取得手段と、受信した放送番組をその属性情報と共に記録する録画手段と、放送番組の視聴契約に関する情報を記憶する契約情報記憶手段と、未契約の放送番組の視聴を指示する指示手段と、この指示手段での指示により、上記録画手段で番組情報と共に記録されている属性情報と、上記契約情報記憶手段に記憶した視聴契約に関する情報と基づいて、上記番組情報取得手段で取得した番組表の番組情報を検索し、属性情報の相関の度合いが大きい未契約の番組情報を選択する検索手段と、この検索手段で選択した未契約の番組情報を提示する提示手段とを有したことを特徴とする。
【発明の効果】
【００１３】
上記の手段によると、すでに記録した放送番組の属性情報とより相関の度合いが高い属性情報を有する未契約の放送情報が検索の結果として提示されるので、ユーザ自身は嗜好に関するなんらの入力操作等を行なわずとも、ユーザの嗜好を反映した未契約の番組情報を選択することが可能となる。
【発明を実施するための最良の形態】
【００１４】
（第１の実施の形態）  
以下、図面を参照して本発明の第１の実施の形態について説明する。図１は放送システムの部分構成を示すものである。１１はＥＰＧを提供するＥＰＧサーバ、１２は有料放送局が運営する、個々の放送チャンネルやペイ・パー・ビューの番組タイトルに対応したユーザの契約処理を行なう有料放送局サーバである。これらＥＰＧサーバ１１、有料放送局サーバ１２と、インターネット及び公衆回線網を含むネットワーク２０を介して、情報記録再生装置１００が接続される。
【００１５】
情報記録再生装置１００において、アンテナ部９０からの高周波信号は、情報記録再生装置１００の受信部４００に導入される。受信部４００では、ユーザ操作、あるいは録画予約情報により選択されたチャンネルの番組が選局され、復調された後に例えば記録処理部５００に導かれる。また、記録処理部５００には、端子１０１を介して外部からの信号も直接入力することができる。上記前記番組は、出力部７００を介してモニタ３００１に入力されてもよい。
【００１６】
記録処理部５００は、記録メディア部１０００の記録媒体に番組の信号をエンコードした圧縮信号を記録することができる。再生処理部６００は、記録メディア部１０００の記録媒体に記録されている番組の圧縮信号を再生してデコードし、出力部７００を介してモニタ３００１に供給することができる。
【００１７】
さらに制御部となるマイクロコンピュータブロック３０として、ＥＰＧ情報処理部３０１、チャンネルリスト生成部３０２、契約情報記憶部３０３、表示フォーマット記憶部３０４が用意されている。
【００１８】
ＥＰＧ情報処理部３０１は、放送波に重畳され、上記受信部４００で復調されたＥＰＧ情報、及び上記ＥＰＧサーバ１１からネットワーク２０及びこの情報記録再生装置１００内のネットワークインターフェイス（Ｉ／Ｆ）を介して受信したＥＰＧ情報によりＥＰＧを作成して保持する。
【００１９】
チャンネルリスト生成部３０２は、上記再生処理部６００より得られる、すでに記録した番組情報中のタイトル名、ジャンル等の属性情報と、ＥＰＧ情報処理部３０１より得られるＥＰＧ情報、及び契約情報記憶部３０３より得られる、すでに契約済みの放送チャンネル情報とにより、表示フォーマット記憶部３０４で指定されるテーブルフォーマットのチャンネルリストを作成して出力部７００へ出力し、モニタ３００１で表示させる。
【００２０】
情報記録再生装置１００においては、チャンネルリスト生成部３０２にて作成されたチャンネルリストを出力部７００を介してモニタ３００１より表示する。その表示に対してキー操作入力部８２より適宜キー入力操作がなされることにより、契約情報記憶部３０３からネットワークインターフェイス３２０、上記ネットワーク２０を介して有料放送局サーバ１２との間で未契約の有料チャンネルとの契約が実行される。
【００２１】
また、ＥＰＧ情報処理部３０１より得られる番組情報に対する表示も行ない、その表示に対して適宜キー操作入力部８２でキー入力操作がなされることで、録画予約処理部３０６によって番組の録画予約が行なわれる。
【００２２】
次いで図２により上記情報記録再生装置１００のより詳細なブロック構成を示す。なお、この情報記録再生装置１００では、記録媒体としてＤＶＤなどの光ディスクとハードディスクの双方を取り扱うことができる装置として示しているが、ハードディスクあるいはＤＶＤなどの光ディスクは例えば半導体メモリによる記録媒体などに置換されてもよい。図２において、各ブロックを大きく分けると、中央及び上部の左側には記録部の主なブロックを示し，同右側には再生部の主なブロックを示している。
【００２３】
図２の情報記録再生装置１００は、ディスクドライブ部１００２と、ハードディスクドライブ部１００４の２種類のディスクドライブ部を有する。ディスクドライブ部１００２は、光ディスク１００１を回転駆動し、情報の読み書きを実行する。ディスクドライブ部１００２は、光ディスク１００１に対する回転制御系、レーザ駆動系、光学系などを有する。また、ハードディスクドライブ部１００４は、ハードディスクを駆動する。
【００２４】
データプロセッサ（Ｄ−ＰＲＯ）部１００３は、ディスクドライブ部１００２及びハードディスクドライブ部１００４に記録データを供給することができ、また、再生された信号を受け取ることができる。データプロセッサ部１００３は、記録または再生単位のデータを取り扱うもので、バッファ回路、変調・復調回路、エラー訂正部などを含む。
【００２５】
またこの情報記録再生装置１００は、録画側を構成するエンコーダ部５０と、再生側を構成するデコーダ部６０と、装置本体の動作を制御するマイクロコンピュータブロック３０とを主たる構成要素としている。エンコーダ部５０は、トランスポートストリーム処理部及び複数のエンコーダを含む。
【００２６】
エンコーダ部５０は、基本的には入力されたアナログビデオ信号やアナログオーディオ信号をデジタル化するビデオ用及びオーディオ用のアナログデジタルコンバータと、ビデオエンコーダと、オーディオエンコーダとを有する。さらに、副映像エンコーダも含む。
【００２７】
エンコーダ部５０からのエンコード出力は、バッファメモリ５２を含むフォーマッタ５１にて所定のＤＶＤのフォーマットに変換され、先のデータプロセッサ部１００３に供給される。
【００２８】
なおトランスポートストリームから抽出したパケットエレメンタリーストリームがエンコーダ部５０から直接ハードディスクドライブ部１００４のハードディスクに記録される場合もある。
【００２９】
エンコーダ部５０には、スイッチ５３を介して、ＡＶ入力部４１ａからの外部アナログビデオ信号と外部アナログオーディオ信号が入力することができる。またエンコーダ部５０には、地上波アナログチューナ４１ｂ、地上波デジタルチューナ４１ｃ、衛星ＢＳ／ＣＳチューナ４１ｄ，衛星アナログチューナ４１ｅからの受信信号が選択的に入力することができる。
【００３０】
また、エンコーダ部５０で複数のデコーダが活用される場合、地上波デジタルチューナ４１ｃで受信した番組がハードディスクドライブ部１００４で録画され、同時に、衛星ＢＳ／ＣＳチューナ４１ｄで受信した番組を視聴することも可能である。
【００３１】
なお、エンコーダ部５０は、圧縮されたデジタルビデオ信号やデジタルオーディオ信号が直接入力されるときは、圧縮デジタルビデオ信号やデジタルオーディオ信号を直接フォーマッタ５１に供給することもできる。またエンコーダ部５０は、アナログデジタル変換されたデジタルビデオ信号やオーディオ信号を、ビデオ（Ｖ）ミキシング部７１やオーディオセレクタ７６に直接供給することもできる。
【００３２】
エンコーダ部５０に含まれるＭＰＥＧビデオエンコーダでは、デジタルビデオ信号はＭＰＥＧ２またはＭＰＥＧ１規格に基づいた可変ビットレートで圧縮されたデジタルビデオ信号に変換される。
【００３３】
デジタルオーディオ信号は、ＭＰＥＧまたはＡＣ−３規格に基づいて固定ビットレートで圧縮されたデジタルオーディオ信号、あるいはリニアＰＣＭのデジタルオーディオ信号に変換される。
【００３４】
副映像信号がＡＶ入力部４１ａから入力された場合（例えば副映像信号の独立出力端子付ＤＶＤビデオプレーヤからの信号など）、あるいはこのようなデータ構成のＤＶＤビデオ信号が放送されてそれがＴＶチューナ部４１ｂ〜４１ｅのいずれかで受信された場合は、ＤＶＤビデオ信号中の副映像信号が副映像エンコーダでエンコード（ランレングス符号化）されて副映像のビットマップとなる。
【００３５】
エンコードされたデジタルビデオ信号、デジタルオーディオ信号、副映像データは、フォーマッタ５１にてパック化され、ビデオパック、オーディオパック、副映像パックとなり、さらにこれらが集合されて、ＤＶＤ-ビデオ規格で規定されたフォーマット（ＤＶＤ−Ｖｉｄｅｏフォーマット）や、ＤＶＤ-レコーディング規格で規定されたフォーマット（ＤＶＤ−ＶＲフォーマット）に変換される。フォーマッタ５１は、上記の変換処理のとき、バッファメモリ５２も利用する。
【００３６】
この情報記録再生装置１００では、フォーマッタ５１でフォーマット化された情報（ビデオ、オーディオ、副映像データなどのパック）及び作成された管理情報を、データプロセッサ部１００３を介してハードディスクドライブ部１００４あるいはデータディスクドライブ部１００２に供給し、ハードディスクあるいは光ディスク１００１に記録することができる。
【００３７】
またハードディスクあるいは光ディスク１００１に記録された情報を、データプロセッサ部１００３、ディスクドライブ部１００２を介して光ディスク１００１あるいはハードディスクに記録することもできる。
【００３８】
さらにハードディスクあるいは光ディスク１００１に記録されている複数番組のビデオオブジェクトを、一部削除する、異なる番組のオブジェクトとつなげる、といった編集処理を行なうこともできる。
【００３９】
マイクロコンピュータブロック３０は、ＭＰＵ（マイクロプロセッシングユニット）、またはＣＰＵ（セントラルプロセッシングユニット）と、制御プログラム等が書きこまれたＲＯＭと、プログラム実行に必要なワークエリアを提供するためのＲＡＭとを含んでいる。
【００４０】
マイクロコンピュータブロック３０は、ネットワークインターフェース３２０を介して、外部ネットワークに接続することが可能である。これにより、外部の上述したＥＰＧサーバ１１から番組情報としてのＥＰＧ情報を取り込むことが可能となる。
【００４１】
さらにマイクロコンピュータブロック３０のＭＰＵは、ＲＯＭに格納された制御プログラムに従い、ＲＡＭをワークエリアとして用いて、欠陥場所検出、未記録領域検出、録画情報記録位置設定、ＵＤＦ記録、ＡＶアドレス設定などを実行する。
【００４２】
またマイクロコンピュータブロック３０は、装置の各ブロックを統括して制御するために必要な情報処理部を有するもので、ワークＲＡＭ、ディレクトリ検出部、ＶＭＧ（全体のビデオ管理情報）情報作成部、パケットヘッダ処理部、シーケンスヘッダ処理部などを備える。またマイクロコンピュータブロック３０は、録画を実行する際の管理情報の制御部と、編集を実行する際の管理情報の制御部をも備える。
【００４３】
さらに、マイクロコンピュータブロック３０には、先に説明したように、ＥＰＧ情報処理部３０１、チャンネルリスト生成部３０２、契約情報記憶部３０３を有する。またこのような操作が行われるときのグラフィックユーザインターフェースとして、表示制御部３１４を有する。また、録画予約情報に基づいて、チューナなどを制御する受信制御部３１１、番組を録画するために記録制御部３１２、記録番組を再生するために再生制御部３１３を有する。
【００４４】
さらに、後述する未契約の有料チャンネルのリスト表示を行なうための属性情報等を記憶するものとして、嗜好データベース３２１、ジャンルデータベース３２２、表示フォーマット記憶部３２３を有する。
【００４５】
ＭＰＵの実行結果のうち、ユーザに通知すべき内容は、この情報記録再生装置１００の表示部８１に表示されるか、またはモニタ３００１にＯＳＤ（オンスクリーンディスプレイ）表示される。
【００４６】
またマイクロコンピュータブロック３０は、この装置を操作するための操作信号を与えるキー操作入力部８２を有する。このキー操作入力部８２は、例えば情報記録再生装置１００の本体上に設けた操作スイッチ類や、あるいはリモートコントローラなどに相当する。また、記録再生装置と有線通信あるいは無線通信あるいは光通信や赤外線通信などの手段を用いて接続されたパーソナルコンピューターであってもよい。いずれの形態であるにせよ、ユーザがこのキー操作入力部８２を操作することにより、入力された映像音声信号の録画処理や、録画されたコンテンツの再生処理、あるいは録画されたコンテンツに対する編集処理などを施すことができる。
【００４７】
なお、マイクロコンピュータブロック３０が、ディスクドライブ部１００２、ハードディスクドライブ部１００４、データプロセッサ部１００３、エンコーダ部５０及び／またはデコーダ部６０などを制御するタイミングは、ＳＴＣ（システムタイムクロック）３１からの時間データに基づいて実行することができる。録画や再生の動作は、通常はＳＴＣ３１からのタイムクロックに同期して実行されるが、それ以外の処理はＳＴＣ３１とは独立したタイミングで実行されてもよい。
【００４８】
デコーダ部６０は、パック構造を持つＤＶＤフォーマットの信号から各パックを分離して取り出すセパレータと、パック分離やその他の信号処理実行時に使用するメモリと、セパレータで分離された主映像データ（ビデオパックの内容）をデコードするＶデコーダと、セパレータで分離された副映像データ（副映像パックの内容）をデコードするＳＰデコーダと、セパレータで分離されたオーディオデータ（オーディオパックの内容）をデコードするＡデコーダとを有する。
【００４９】
またデコードされた主映像にデコードされた副映像を適宜合成し、主映像にメニュー、ハイライトボタン、字幕やその他の副映像を重ねて出力するビデオプロセッサを備えている。
【００５０】
デコーダ部６０の出力ビデオ信号は、ビデオミキシング部７１に入力される。ビデオミキシング部７１では、例えばテキストデータの合成が行われる。またビデオミキシング部７１には、各ＴＶチューナ４１ｂ〜４１ｅやＡＶ入力部４１aからの信号を直接取り込むラインもまた接続されている。
【００５１】
ビデオミキシング部７１には、バッファとして用いるフレームメモリ７２が接続されている。ビデオミキシング部７１の出力がアナログ出力の場合はＩ／Ｆ（インタフェース）７３を介して外部出力され、デジタル出力の場合はデジタルアナログ変換器７４を介して外部へ出力される。
【００５２】
デコーダ部６０の出力オーディオ信号は、セレクタ７６を介してデジタル／アナログ（Ｄ／Ａ）変換器７７でアナログ変換され外部に出力される。セレクタ７６は、マイクロコンピュータブロック３０からのセレクト信号により制御される。これによりセレクタ７６は、各ＴＶチューナ４１ｂ〜４１ｅやＡＶ入力部４１aからのデジタル信号を直接モニタする時、エンコーダ部５０をスルーした信号を直接選択することも可能である。
【００５３】
なお、エンコーダ部５０のフォーマッタでは、録画中、各切り分け情報を作成し、定期的にマイクロコンピュータブロック３０のＭＰＵへ送る（ＧＯＰ先頭割り込み時などの情報）。切り分け情報としては、ＶＯＢＵのパック数、ＶＯＢＵ先頭からのIピクチャのエンドアドレス、ＶＯＢＵの再生時間などである。
【００５４】
同時に、アスペクト情報処理部からの情報を録画開始時にＭＰＵへ送り、ＭＰＵはＶＯＢストリーム情報（ＳＴＩ）を作成する。ここでＳＴＩは、解像度データ、アスペクトデータなどを保存し、再生時、各デコーダ部ではこの情報を元に初期設定が行なわれる。
【００５５】
また本装置では、データをアクセス（シーク）している間に、途切れないで再生を続けるために、最低限連続する情報単位（サイズ）を決めている。この単位をＣＤＡ（コンティギュアス・データ・エリア）という。ＣＤＡサイズは、ＥＣＣ（エラー訂正コード）ブロック（１６セクタ）の倍数であり、ファイルシステムではこのＣＤＡ単位で記録を行なっている。
【００５６】
データプロセッサ部１００３は、エンコーダ部５０のフォーマッタからＶＯＢＵ単位のデータを受け取り、ＣＤＡ単位のデータをディスクドライブ部１００２あるいはハードディスクドライブ部１００４に供給している。
【００５７】
またマイクロコンピュータブロック３０のＭＰＵは、記録したデータを再生するのに必要な管理情報を作成し、データ記録終了のコマンドを認識すると、作成した管理情報をデータプロセッサ部１００３に送る。これにより、管理情報がディスクに記録される。従って、エンコードが行なわれているとき、エンコーダ部５０からマイクロコンピュータブロック３０のＭＰＵは、データ単位の情報（切り分け情報など）を受け取る。
【００５８】
また、マイクロコンピュータブロック３０のＭＰＵは、記録開始時には光ディスク１００１及びハードディスクから読み取った管理情報（ファイルシステム）を認識し、各ディスクの未記録エリアを認識し、データ上の記録エリアをデータプロセッサ部１００３から当該ディスクに設定している。
【００５９】
なお、ディスクドライブ部１００２に装着された光ディスク１００１及びハードディスクドライブ部１００４のハードディスクにテレビ放送の番組情報が記録された場合、その番組情報のタイトルとジャンルに対応した情報が随時マイクロコンピュータブロック３０の嗜好データベース３２１、ジャンルデータベース３２２にそれぞれ累積して記憶されるものとする。
【００６０】
すなわち、番組情報に付加設定されている属性情報の１つであるタイトル名を単語単位で分解したものが随時嗜好データベース３２１に記憶され、各単語に対応したポイント数が記憶されるもので、同一の単語が複数回記憶された場合にポイント数が順次カウントアップされるものとなる。
【００６１】
同様に、番組情報に付加設定されている属性情報の１つであるジャンルが随時ジャンルデータベース３２２に記憶され、各ジャンルに対応したポイント数が記憶されるもので、同一のジャンルが複数回記憶された場合にポイント数が順次カウントアップされるものとなる。
【００６２】
すなわち、嗜好データベース３２１とジャンルデータベース３２２には、この情報記録再生装置１００のユーザが光ディスク１００１及びハードディスクにテレビ放送の番組情報を記録する毎にユーザ固有の嗜好を示す情報が単語とジャンルの形で記憶されることになる。
【００６３】
次いで上記実施の形態の動作について説明する。  
図３は、例えばキー操作入力部８２を構成するリモートコントローラの「番組ナビ」キーを操作した場合にモニタ３００１でＯＳＤ表示される内容を例示する。図３を含む以下の各画面は表示フォーマット記憶部３０４に記憶された画像フォーマットデータにしたがってチャンネルリスト生成部３０２が生成し、出力部７００を介してモニタ３００１で表示される。
【００６４】
ここでは、複数のメニュー項目中の「おすすめ未契約チャンネル」を選択している状態を示すもので、その下部ではリモートコントローラの十字状に配列された上下左右各カーソルキーにより項目選択を、その中央に位置するエンターキーにより決定を、「戻る」キーにより１つ前の階層メニューに戻ることを指示できることを表示している。
【００６５】
このような「おすすめ未契約チャンネル」を選択している状態からエンターキー操作により「おすすめ未契約チャンネル」を決定するキー操作を行なうと、すでにディスクドライブ部１００２の光ディスク１００１及びハードディスクドライブ部１００４に記録されている番組情報の内容に基づいて、このユーザの嗜好に合致していると思われる未契約の有料チャンネルのリストがモニタ３００１に表示される。
【００６６】
図６は、主として上記マイクロコンピュータブロック３０内のチャンネルリスト生成部３０２の動作を示すフローチャートである。
【００６７】
その当初には、表示候補となるチャンネル情報を１つ取得する（ステップＳＡ０１）。
【００６８】
図９は、契約情報記憶部３０３に記憶される全チャンネル分のチャンネル情報のうちの１つの構成例を示すものであり、「チャンネル（ＣＨ）ＩＤ」「チャンネル名」「チャンネル略称」「チャンネル内容」「チャンネルジャンル」「有料チャンネルフラグ」「料金」「料金単位」「チャンネル受信フラグ」「契約済フラグ」「推薦ポイント」及び「推薦マーク」の各項目からなるものとする。各項目の内容と例は図示する通りである。
【００６９】
上記項目中、末尾の「推薦ポイント」及び「推薦マーク」の２項目は後述する処理により更新設定するものとする。
【００７０】
こうして取得したチャンネル情報に対し、この情報記録再生装置１００のユーザの嗜好に対応した推薦ポイント計算を実行する（ステップＳＡ０２）。
【００７１】
図７は、この推薦ポイント計算のサブルーチンの処理内容を示すものであり、その当初には、推薦ポイントを初期値の「０」とする初期化処理を実行する（ステップＲＡ０１）。
【００７２】
次いで当該チャンネルの有料フラグがＹＥＳとなっていること、チャンネル受信フラグがＹＥＳとなっていること、契約済みフラグがＮＯとなっていることを続けて確認する（ステップＲＡ０２〜ＲＡ０４）。
【００７３】
これらステップＲＡ０２〜ＲＡ０４のいずれかで該当する項目があると判断した場合、すなわち、有料チャンネルフラグがＮＯでそのチャンネルが無料である場合、チャンネル受信フラグがＮＯでその情報記録再生装置１００では受信することができない場合、及び契約済み負がＹＥＳですでに契約済みである場合には、未契約チャンネルの候補としてそのチャンネルが該当しないものとしてこの図７のサブルーチン処理を終了する。
【００７４】
一方、上記ステップＲＡ０２〜ＲＡ０４のいずれにも該当しないことを確認すると、次いでジャンルデータベース３２２からそのチャンネルジャンルに該当するものを選択し、設定されている嗜好ポイントを取得して推薦ポイントに加算設定する（ステップＲＡ０５）。
【００７５】
図１１は、ジャンルデータベース３２２に記憶されるデータ構造を例示するものである。例えば、チャンネル情報中のチャンネルジャンルの情報が「音楽全般」であり、一方でジャンルデータベース３２２に「邦楽」というジャンルに対して「２０」ポイントという嗜好ポイントが記憶されていたとする。
【００７６】
この場合の「音楽全般」が「邦楽（日本の音楽）」を含むものとするデータ構造を予め採用しておくことにより、チャンネル情報中のチャンネルジャンル「音楽全般」に対してユーザに嗜好にマッチするものとして「２０」ポイントが加算される。
【００７７】
その後、チャンネル情報中のチャンネル内容から単語を１つ抽出し（ステップＲＡ０６）、その抽出した単語を用いて上記嗜好データベース３２１を検索して該当する単語が登録されていたか否かを判断する（ステップＲＡ０７）。
【００７８】
ここで該当する単語が登録されていないと判断した場合には、次いでその抽出した単語がチャンネル内容中の文末に位置する最後のものではないことを確認した上で（ステップＲＡ１０）、再び上記ステップＲＡ０６に戻り、次に位置する単語で同様の処理を繰返す。
【００７９】
また、上記ステップＲＡ０７で嗜好データベース３２１に該当する単語が登録されていると判断した場合には、その単語と対にして記憶されているポイントを嗜好データベース３２１より取得し（ステップＲＡ０８）、取得したポイントをこのチャンネルの推薦ポイントに加算設定する（ステップＲＡ０９）。
【００８０】
図１０は、嗜好データベース３２１に記憶されるデータ構造を例示するものである。例えば、チャンネル情報中のチャンネル内容から抽出した単語「邦楽」であり、一方で嗜好データベース３２１に図示する如く「音楽」という単語に対して「３」ポイントという嗜好ポイントが記憶されていたとする。
【００８１】
この場合の「邦楽」が「音楽」を含むものとするデータ構造を予め採用しておくことにより、チャンネル内容中の単語「邦楽」に対してユーザに嗜好にマッチするものとして「３」ポイントが加算されることとなる。
【００８２】
その後、抽出した単語がチャンネル内容中の文末に位置する最後のものではないことを確認した上で（ステップＲＡ１０）、再び上記ステップＲＡ０６に戻り、次に位置する単語で同様の処理を繰返す。
【００８３】
このようにして、チャンネル内容を構成するすべての単語の数だけステップＲＡ０６〜ＲＡ１０の処理を繰返し実行し、最後にステップＲＡ１０で文末の単語であると判断すると、以上でこの図７の処理を終了する。
【００８４】
図６のメイン処理では、ステップＳＡ０２で当該チャンネルの推薦ポイントの計算を終えると、次いで表示可能なチャンネルすべての確認を終えたか否かを判断する（ステップＳＡ０３）。
【００８５】
ここで終えていないと判断すると、次に最終チャンネルまでの確認を終えたか否かを判断し（ステップＳＡ０４）、終えていないと判断するとステップＳＡ０１に戻って、次の表示候補となるチャンネル情報についても同様の処理を繰返し実行する。
【００８６】
しかして、ステップＳＡ０１〜ＳＡ０４の処理を繰返し実行することで、表示候補となる可能性のある、視聴可能なすべての未契約の有料チャンネルに関して推薦ポイントを計算した後に、上記ステップＳＡ０３で表示可能なチャンネルすべての確認を終えたと判断するか、あるいはステップＳＡ０４で最終チャンネルまでの確認を終えたと判断すると、次いで未契約の有料チャンネルを計算した推薦ポイントが高い順序でソーティングし、表示フォーマット記憶部３２３から与えられる表示フォーマットにしたがって少なくともその一部をモニタ３００１にてリスト表示させる（ステップＳＡ０５）。
【００８７】
図４は、この際にモニタ３００１にて表示される「おすすめ未契約チャンネル」のリスト表示例を示すものである。同図では、最も推薦ポイントの高かった「スーパーＪ−ＰＯＰ  ＣＨ」なるチャンネルが選択された状態を例示するものである。
【００８８】
ここで各チャンネル情報毎に付加されている黒い星印は、例えば推薦ポイント５０毎に１つの割合で付加設されるもので、推薦ポイントの計算に伴って上記推薦マークに付加設定される内容に基づいて表示されるものであり、ユーザの嗜好に合致していることを視覚的に分かり易く表現するものである。
【００８９】
また、上記リスト中の１つのチャンネルが選択された状態では、併せてそのチャンネルと契約するための条件としての料金、及び上記チャンネル内容の文字列情報が画面下方に区分表示される。
【００９０】
この図４でも、「１０７  スーパーＪ−ＰＯＰ  ＣＨ」が料金「５００円／月」で視聴することができ、その内容が「巷で話題の最新邦楽ＰＶをノンストップでお送りします。」というものであることが表示される。
【００９１】
こうしたリスト表示を行なっている状態から、チャンネルの契約指定があるか否かを判断する（ステップＳＡ０６）。
【００９２】
上記図４に示した画面では、その下端側でこの情報記録再生装置１００のリモートコントローラの十字状に配列された上下左右各カーソルキーにより項目（チャンネル）選択を、その中央に位置するエンターキーにより契約を、「番組説明」キーにより詳細な番組説明を、そして「戻る」キーにより１つ前の階層メニューに戻ることを指示できることを表示している。
【００９３】
ステップＳＡ０６でチャンネルの契約を指定するキー入力操作があったと判断した場合は、上記ネットワークインターフェイス３２０からネットワーク２０を介して有料放送局サーバ１２との間で接続を確立して契約を実行する（ステップＳＡ０７）。
【００９４】
図５は、このときモニタ３００１に表示される契約手続の開始画面を例示するもので、契約により月当たり５００円の料金がかかることを提示した上で、契約手続きを開始するか否かを確認している。
【００９５】
ここで表示画面にしたがった、例えばリモートコントローラのキー入力操作を行なうことで契約が実行され、有料放送局サーバ１２では当該情報記録再生装置１００を契約対象として認識するようになる。
【００９６】
一方、この情報記録再生装置１００でも、契約情報記憶部３０３内の当該チャンネルのチャンネル情報中、契約済みフラグをＹＥＳに変更設定することで契約情報の更新設定を実行し（ステップＳＡ０８）、以上でこの図６によるおすすめ未契約チャンネルの表示に関する処理を終了して、１つ上のメニュー階層に位置する、上記図３に示した元のおすすめメニュー一覧の画面に復帰する。
【００９７】
なお、上記実施の形態では、未契約のチャンネル毎に推薦ポイントを計算する方法として、上記図７に示した如くその未契約チャンネルのジャンルとチャンネル内容を構成する個々の単語とを用いるものとしたが、本実施の形態ではこれに限らず、そのチャンネルで放送される個々の番組タイトルの内容を反映させるものとしてもよい。
【００９８】
図８は、上記図７の処理に代えて実行される、推薦ポイントの計算に関するサブルーチンの処理内容を示すものである。
【００９９】
その当初には、推薦ポイントを初期値の「０」とする初期化処理を実行する（ステップＲＢ０１）。
【０１００】
次いで当該チャンネルの有料フラグがＹＥＳとなっていること、チャンネル受信フラグがＹＥＳとなっていること、契約済みフラグがＮＯとなっていることを続けて確認する（ステップＲＢ０２〜ＲＢ０４）。
【０１０１】
これらステップＲＢ０２〜ＲＢ０４のいずれかで該当する項目があると判断した場合、すなわち、有料チャンネルフラグがＮＯでそのチャンネルが無料である場合、チャンネル受信フラグがＮＯでその情報記録再生装置１００では受信することができない場合、及び契約済み負がＹＥＳですでに契約済みである場合には、未契約チャンネルの候補としてそのチャンネルが該当しないものとしてこの図８のサブルーチン処理を終了する。
【０１０２】
一方、上記ステップＲＢ０２〜ＲＢ０４のいずれにも該当しないことを確認すると、次いでジャンルデータベース３２２からそのチャンネルの１番組タイトル分の番組情報をＥＰＧ情報処理部３０１より取得する（ステップＲＢ０５）。
【０１０３】
図１２は、このとき取得される１番組タイトル分の番組情報のデータ構造を例示するもので、「番組ＩＤ」「チャンネルＩＤ」「開始日時」「終了日時」「タイトル名」「ジャンル」及び「詳細内容」の各項目から構成される。
【０１０４】
こうして取得した１番組タイトル分の番組情報に対し、次いでジャンルデータベース３２２からその番組情報中のジャンルに該当するものを参照し、同様のジャンルが設定されていればその嗜好ポイントを取得して推薦ポイントに加算設定する（ステップＲＢ０６）。
【０１０５】
例えば、番組情報中のジャンルの情報が「邦楽」であり、一方で上記図１１で説明したジャンルデータベース３２２に「邦楽」というジャンルに対して「２０」ポイントという嗜好ポイントが記憶されていたとする。
【０１０６】
この場合２つのジャンル情報は完全に一致するので、番組情報中のジャンル「邦楽」に対してユーザに嗜好にマッチするものとして「２０」ポイントが加算される。
【０１０７】
その後、番組情報のタイトル名から単語を１つ抽出し（ステップＲＢ０７）、その抽出した単語を用いて上記嗜好データベース３２１を検索して該当する単語が登録されていたか否かを判断する（ステップＲＢ０８）。
【０１０８】
ここで該当する単語が登録されていないと判断した場合には、次いでその抽出した単語がタイトル名の文末に位置する最後のものではないことを確認した上で（ステップＲＢ１１）、再び上記ステップＲＢ０７に戻り、次に位置する単語で同様の処理を繰返す。
【０１０９】
また、上記ステップＲＢ０８で嗜好データベース３２１に該当する単語が登録されていると判断した場合には、その単語と対にして記憶されているポイントを嗜好データベース３２１より取得し（ステップＲＢ０９）、取得したポイントをこのチャンネルの推薦ポイントに加算設定する（ステップＲＢ１０）。
【０１１０】
その後、抽出した単語がタイトル名中の文末に位置する最後のものではないことを確認した上で（ステップＲＢ１１）、再び上記ステップＲＢ０７に戻り、次に位置する単語で同様の処理を繰返す。
【０１１１】
このようにして、タイトル名を構成するすべての単語の数だけステップＲＢ０７〜ＲＢ１１の処理を繰返し実行し、最後にステップＲＢ１１で文末の単語であると判断すると、次にタイトル名に代えて番組の詳細内容についてもタイトル名と同様に単語毎に分解して嗜好データベース３２１に記憶される内容との照合を行ない、一致するものがあれば対応して記憶されている推薦ポイントを加算していく（ステップＲＢ１２）。
【０１１２】
この詳細内容を構成する個々の単語による推薦ポイントの加算処理については、上記ステップＲＢ０７〜ＲＢ１１の処理とほぼ同様であるので、その詳細な処理内容については説明を省略する。
【０１１３】
しかして、タイトル名と詳細内容とによる推薦ポイントの加算処理を終えると、当該番組タイトルが所定量、例えば当該チャンネルの１日分の最後の番組タイトルであるか否かを判断し（ステップＲＢ１３）、最後の番組タイトルでなければ再び上記ステップＲＢ０５からの処理に戻って、次の番組タイトルに基づいて同様の処理を繰返し実行する。
【０１１４】
こうして、所定量、例えば当該チャンネルの１日分の番組タイトルに関してそのタイトル名と詳細内容を構成する単語毎に推薦ポイントの加算処理を実行していく。
【０１１５】
しかして、上記ステップＲＢ１３で当該番組タイトルが所定量、例えば当該チャンネルの１日分の最後の番組タイトルであると判断した時点で、以上でこの図８の処理を終了する。
【０１１６】
このように、上記図７で示したチャンネルのジャンル及びチャンネル内容の情報に代えて、そのチャンネルで実際に放映される各番組タイトル毎のジャンルとタイトル名、及び詳細内容に基づいてジャンルデータベース３２２、嗜好データベース３２１を参照して推薦ポイントを加算処理するものとしたので、ある程度ジャンル等のばらつきを有する番組タイトルを放送する未契約チャンネルについても、より正確に情報記録再生装置１００のユーザの嗜好との相関の度合いを判定することができる。
【０１１７】
以上本実施の形態によれば、すでに記録した放送番組の属性、具体的にはユーザの嗜好を表す単語とジャンルを反映した嗜好データベース３２１及びジャンルデータベース３２２の内容に基づいて、未契約の有料チャンネルに対する相関の度合いを推薦ポイントという形で算出し、より相関の度合いが高いチャンネルの情報がリスト表示されるので、ユーザ自身は本人の嗜好に関するなんらの入力操作等を行なわずとも、ユーザの嗜好を反映した未契約のチャンネルを選択することが可能となる。
【０１１８】
その場合、単に相関の度合いが高いものの順序で未契約のチャンネルをリスト表示するのではなく、チャンネル名に添えて相関度（推薦ポイント）に応じた数の例えば黒い星印を表示するものとしたので、相関の度合い、換言すればユーザに対する「おすすめ」の度合いを視覚的にきわめて理解し易い自余で提示することができる。
【０１１９】
また、未契約チャンネルの選択に関しては、契約を実行する前の仮選択状態で、上記図４にも説明した如く契約条件やチャンネル内容等を併せて表示するものとしたので、ユーザにとって契約作業に移行する前にある程度そのチャンネルの料金や特色等を理解することができ、それだけチャンネルの選択が容易となる。
【０１２０】
（第２の実施の形態）  
以下、図面を参照して本発明の第２の実施の形態について説明する。
【０１２１】
なお、放送システムの部分構成については上記図１と、情報記録再生装置のより詳細なブロック構成については上記図２と、それぞれ基本的に同様であるものとし、同一部分には同一符号を用いるものとしてその図示と説明とを省略する。
【０１２２】
次いで上記実施の形態の動作について説明する。  
図１３は、例えばキー操作入力部８２を構成するリモートコントローラの「番組ナビ」キーの操作により、上記図３に示した画面内容から「おすすめ設定」を選択指示した場合にモニタ３００１でＯＳＤ表示される内容を例示する。図１３を含む以下の各画面は表示フォーマット記憶部３０４に記憶された画像フォーマットデータにしたがってチャンネルリスト生成部３０２が生成し、出力部７００を介してモニタ３００１で表示される。
【０１２３】
ここでは、特定の番組タイトルを指定するのではなく、各種条件を設定して該当する番組タイトルを自動的に選択して録画予約する「おまかせ自動録画設定」の設定条件を示している。
【０１２４】
すなわち、番組情報に含まれるキーワードとして、「○○○○」または「○○○○」を含み（ＯＲ条件）、「○○○○」を含まない（ＮＯＴ条件）を設定できる他に、時間帯、チャンネル、再放送を「含む」か「含まない」か、未契約チャンネル（ＣＨ）を「含む」か「含まない」かを選択設定することが可能となる。
【０１２５】
特に、同図中で選択内容をハッチングで示している、未契約チャンネル（ＣＨ）を「含む」か「含まない」か（図では「含まない」を選択している状態を示す）の選択項目では、未契約チャンネルを「含む」ものとした場合に、適宜そのまま所望する未契約チャンネルの契約処理に移行できるものとする。
【０１２６】
このような表示状態から、例えばキー操作入力部８２を構成するリモートコントローラの「決定」キーを操作することで、上記キーワード等を含む各種の設定条件に該当する番組タイトルのリストがチャンネルリスト生成部３０２により作成され、モニタ３００１にて表示される。
【０１２７】
図１４は、そのような番組の検索結果のリスト表示状態から、さらに番組タイトルを絞り込むためのクイックメニューと称する、ウィンドウ表示を行なっている状態を例示するものである。
【０１２８】
同図では、左側のクイックメニューウィンドウＱＷ１の最下段の項目「絞り込み」を選択しており、これに対応して右側のクイックメニューウィンドウＱＷ２で具体的な「絞り込み」の方法として「未契約チャンネル（ＣＨ）のみ表示」「契約チャンネル（ＣＨ）のみ表示」「絞り込み解除」の項目を表示し、特に中段の「契約チャンネル（ＣＨ）のみ表示」を選択している状態を示す。
【０１２９】
この表示状態で画面下端側に示す如くキー操作入力部８２のリモートコントローラの「決定」キーを操作することにより、図１５に示す絞り込みとしての表示フィルタリング処理が実行される。
【０１３０】
図１５は、主として上記マイクロコンピュータブロック３０内のチャンネルリスト生成部３０２の動作を示すフローチャートである。
【０１３１】
その当初には、表示候補となる番組情報に対応するチャンネル情報を取得する（ステップＳＢ０１）。
【０１３２】
図１２は、このとき取得される１番組タイトル分の番組情報のデータ構造を例示するもので、「番組ＩＤ」「チャンネル（ＣＨ）ＩＤ」「開始日時」「終了日時」「タイトル名」「ジャンル」及び「詳細内容」の各項目から構成される。各項目の内容と例は図示する通りである。
【０１３３】
この番組情報中のチャンネルＩＤから契約情報記憶部３０３を検索し、同一のチャンネルＩＤを有するチャンネル情報を検索する。
【０１３４】
図９は、契約情報記憶部３０３に記憶される全チャンネル分のチャンネル情報のうちの１つの構成例を示すものであり、「チャンネル（ＣＨ）ＩＤ」「チャンネル名」「チャンネル略称」「チャンネル内容」「チャンネルジャンル」「有料チャンネルフラグ」「料金」「料金単位」「チャンネル受信フラグ」「契約済フラグ」「推薦ポイント」及び「推薦マーク」の各項目からなるものとする。各項目の内容と例は図示する通りである。
【０１３５】
こうして取得したチャンネル情報に対し、契約済みフラグがＹＥＳとなっているか否かによって表示対象のチャンネルであるか否かを判断する（ステップＳＢ０２）。
【０１３６】
契約済みフラグがＹＥＳとなっていると判断した場合にのみ、その番組タイトルの番組情報を番組表に表示するべく設定を行なう（ステップＳＢ０３）。
【０１３７】
その後、表示可能な番組タイトル分すべての確認を終えたか否かを判断する（ステップＳＢ０４）。
【０１３８】
ここで終えていないと判断すると、次に最終の番組タイトル分までの確認を終えたか否かを判断し（ステップＳＢ０５）、終えていないと判断すると上記ステップＳＢ０１に戻って、次の表示候補となる番組タイトルに対応するチャンネル情報についても同様の処理を繰返し実行する。
【０１３９】
しかして、ステップＳＢ０１〜ＳＢ０５の処理を繰返し実行することで、ステップＳＢ０４で表示候補となる可能性のある、すでに視聴可能なすべての契約済みのチャンネルの番組タイトルの確認を終えたと判断するか、あるいはステップＳＢ０５で最終の番組タイトルまでの確認を終えたと判断すると、表示フォーマット記憶部３２３から与えられる表示フォーマットにしたがって絞り込みを終えた番組表の少なくとも一部をモニタ３００１にて表示させ（ステップＳＢ０６）、以上でこの絞り込みに関する図１５の処理を終える。
【０１４０】
以上本実施の形態によれば、番組表の検索時において未契約のチャンネルの番組タイトルを含むか否かを検索条件の１つとして設定することができ、ユーザの意図を活かした検索を実行することができる。
【０１４１】
加えて、検索を行なった結果から、さらに契約済みのチャンネルと未契約のチャンネルとに応じた再度の絞り込みを表示フィルタリング処理として実行し、必要な番組タイトルのみをリスト表示させることができるため、ユーザが検索結果から必要な番組タイトルを再検索により確実に認識することかできる。
【０１４２】
（第３の実施の形態）  
以下、図面を参照して本発明の第３の実施の形態について説明する。
【０１４３】
なお、放送システムの部分構成については上記図１と、情報記録再生装置のより詳細なブロック構成については上記図２と、それぞれ基本的に同様であるものとし、同一部分には同一符号を用いるものとしてその図示と説明とを省略する。
【０１４４】
次いで上記実施の形態の動作について説明する。  
図１６は、例えばキー操作入力部８２を構成するリモートコントローラの「番組ナビ」キーの操作によりＥＰＧ情報処理部３０１に記憶される番組情報に基づいて番組表をモニタ３００１にて表示させた状態を例示するものである。
【０１４５】
この表示状態から、さらにリモートコントローラの「Ｑ」キーを操作することで、さらに表示チャンネルを絞り込むためのクイックメニューと称する、ウィンドウ表示の選択項目が表示される。
【０１４６】
図１７は、その表示状態を例示するものである。上記図１６で示した表示画面に加えて、その左上端側のクイックメニューウィンドウＱＷ１の最下段の項目「放送局で絞り込み」を選択しており、これに対応してその右側のクイックメニューウィンドウＱＷ２で具体的な「絞り込み」の方法として「未契約チャンネル（ＣＨ）のみ表示」「契約チャンネル（ＣＨ）のみ表示」「絞り込み解除」の項目を表示し、特に中段の「契約チャンネル（ＣＨ）のみ表示」を選択している状態を示す。
【０１４７】
この表示状態でキー操作入力部８２のリモートコントローラの「決定」キーを操作することにより、図１９に示す絞り込みとしての表示フィルタリング処理が実行される。
【０１４８】
図１９は、主として上記マイクロコンピュータブロック３０内のチャンネルリスト生成部３０２の動作を示すフローチャートである。
【０１４９】
その当初には、表示候補となるチャンネル情報を取得する（ステップＳＣ０１）。
【０１５０】
図９は、このとき契約情報記憶部３０３から取得される、１チャンネル分のチャンネル情報の構成例を示すものであり、「チャンネル（ＣＨ）ＩＤ」「チャンネル名」「チャンネル略称」「チャンネル内容」「チャンネルジャンル」「有料チャンネルフラグ」「料金」「料金単位」「チャンネル受信フラグ」「契約済フラグ」「推薦ポイント」及び「推薦マーク」の各項目からなるものとする。各項目の内容と例は図示する通りである。
【０１５１】
こうして取得したチャンネル情報に対し、そのうちの契約済みフラグがＹＥＳとなっているか否かによって表示対象のチャンネルであるか否かを判断する（ステップＳＣ０２）。
【０１５２】
契約済みフラグがＹＥＳとなっていると判断した場合にのみ、そのチャンネルの番組情報を番組表に表示するべく設定を行なう（ステップＳＣ０３）。
【０１５３】
その後、表示可能なチャンネル分すべての確認を終えたか否かを判断する（ステップＳＣ０４）。
【０１５４】
ここで終えていないと判断すると、次に最終のチャンネル分までの確認を終えたか否かを判断し（ステップＳＣ０５）、終えていないと判断すると上記ステップＳＣ０１に戻って、次の表示候補となるチャンネル情報についても同様の処理を繰返し実行する。
【０１５５】
しかして、ステップＳＣ０１〜ＳＣ０５の処理を繰返し実行することで、ステップＳＣ０４で表示候補となる可能性のある、すでに視聴可能なすべてのチャンネル分の確認を終えたと判断するか、あるいはステップＳＣ０５で最終のチャンネル情報の確認を終えたと判断すると、表示フォーマット記憶部３２３から与えられる表示フォーマットにしたがって絞り込みを終えた番組表の少なくとも一部をモニタ３００１にて表示させ（ステップＳＣ０６）、以上でこの絞り込みに関する図１９の処理を終える。
【０１５６】
図１８は、こうして絞り込みを終えた後の番組表の内容を例示するものであり、上記図１６で示した内容に比して、契約済みのチャンネル分のみに限定した、この情報記録再生装置１００のユーザの嗜好（例えば音楽）を反映した番組表が表示されることとなる。
【０１５７】
以上本実施の形態によれば、番組表を表示させた状態から契約済みのチャンネルと未契約のチャンネルとに応じた再度の絞り込みを表示フィルタリング処理として実行し、必要な番組タイトルのみをリスト表示させることができるため、ユーザが検索結果から必要な番組タイトルを再検索により確実に認識することかできる。
【０１５８】
なお、上記第２及び第３の実施の形態にあっては、契約済みのチャンネルに対応した絞り込みを行なう場合についてのみ説明したが、未契約のチャンネルに対応した絞り込みを行なう場合についても、チャンネル情報中の契約済みフラグがＮＯとなっているチャンネルのみを選択してそのチャンネル、あるいはそのチャンネルの番組タイトルを表示対象として絞り込むことで同様に結果を得ることが可能となる。
【０１５９】
その場合、未契約のチャンネルを表示させた状態から１つのチャンネルを特定するような操作を行なうことで、上記第１の実施の形態でも説明した如く、そのチャンネルの契約処理に移行するものとすれば、情報記録再生装置１００のユーザにとっての使い勝手をより向上することができる。
【０１６０】
なお、上記各実施の形態では主に、未契約の有料チャンネル中からユーザの嗜好に合致したものを検索して必要により契約作業に移行する場合について説明したが、チャンネルを単位とするのではなく、所謂ペイ・パー・ビューと呼称されるように、番組タイトルを単位として視聴したいもののみ契約を行なう場合についても、同様に実施することができることは勿論である。
【０１６１】
その他、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
【図面の簡単な説明】
【０１６２】
【図１】本発明の第１の実施の形態に係るシステム全体の部分構成を示す図。
【図２】同実施の形態に係る情報記録再生装置内の詳細な構成を示すブロック図。
【図３】同実施の形態に係る動作時の画面表示例を示す図。
【図４】同実施の形態に係る動作時の画面表示例を示す図。
【図５】同実施の形態に係る動作時の画面表示例を示す図。
【図６】同実施の形態に係るおすすめ未契約チャンネルのリスト表示の処理内容を示すフローチャート。
【図７】同実施の形態に係る図３の推薦ポイント計算のサブルーチン処理の内容を示すフローチャート。
【図８】同実施の形態に係る図３の推薦ポイント計算の他のサブルーチン処理の内容を示すフローチャート。
【図９】同実施の形態に係るチャンネル情報のデータ構造例を示す図。
【図１０】同実施の形態に係る嗜好データベース内に記憶されるデータ構造の一例を示す図。
【図１１】同実施の形態に係るジャンルデータベース内に記憶されるデータ構造の一例を示す図。
【図１２】同実施の形態に係るＥＰＧ情報処理部に記憶される１つの番組タイトルのデータ構造の一例を示す図。
【図１３】本発明の第２の実施の形態に係る動作時の画面表示例を示す図。
【図１４】同実施の形態に係る動作時の画面表示例を示す図。
【図１５】同実施の形態に係る契約チャンネルのみの表示フィルタリング処理の内容を示すフローチャート。
【図１６】本発明の第３の実施の形態に係る動作時の画面表示例を示す図。
【図１７】同実施の形態に係る動作時の画面表示例を示す図。
【図１８】同実施の形態に係る動作時の画面表示例を示す図。
【図１９】同実施の形態に係る契約チャンネルのみの表示フィルタリング処理の内容を示すフローチャート。
【符号の説明】
【０１６３】
１１…ＥＰＧサーバ、１２…有料放送局サーバ、２０…ネットワーク、３０…マイクロコンピュータブロック、８１…表示部、８２…キー操作入力部、９０…アンテナ部、１００…情報記録再生装置、３０１…ＥＰＧ情報処理部、３０２…チャンネルリスト生成部、３０３…契約情報記憶部、３０６…録画予約処理部、３２０…ネットワークインターフェイス（Ｉ／Ｆ）、４００…受信部、５００…記録処理部、６００…再生処理部、７００…出力部、１０００…記録メディア部、３００１…モニタ。
【図１】
2007306133.tif 000003
【図２】
2007306133.tif 000004
【図３】
2007306133.tif 000005
【図４】
2007306133.tif 000006
【図５】
2007306133.tif 000007
【図６】
2007306133.tif 000008
【図７】
2007306133.tif 000009
【図８】
2007306133.tif 000010
【図９】
2007306133.tif 000011
【図１０】
2007306133.tif 000012
【図１１】
2007306133.tif 000013
【図１２】
2007306133.tif 000014
【図１３】
2007306133.tif 000015
【図１４】
2007306133.tif 000016
【図１５】
2007306133.tif 000017
【図１６】
2007306133.tif 000018
【図１７】
2007306133.tif 000019
【図１８】
2007306133.tif 000020
【図１９】
2007306133.tif 000021